Podtech/llm-jp-corpus-v4-ja_patent huggingface dataset:
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
ゲーム機端末の作動方法において、
ゲーム機端末において賭ゲームを実行するステップと、
前記賭ゲームに関連した音響を、前記ゲーム機端末の前にいるプレイヤーに対して、サラウンド・サウンド形式で発することにより、プレイヤーが作用とプレイヤーのまわりで発生している前記賭ゲームに関連した音響とを知覚する音響発射ステップであって、前記サラウンド・サウンドの音響は、スピーカ・システムを使用して発され、このスピーカ・システムが、前記ゲーム機端末のキャビネットのハウジングに取り付けられた少なくとも１つのキャビネット・スピーカと、プレイヤーが前記賭ゲームを実行するために座る椅子に取り付けられた少なくとも１つの椅子スピーカとを有している、音響発射ステップとを備えることを特徴とする方法。
【請求項２】
前記少なくとも１つの椅子スピーカが、概ね前記プレイヤーの背後に位置する左スピーカ及び右スピーカを含むことを特徴とする、請求項１記載の方法。
【請求項３】
前記サラウンド・チャネルが、独立したサラウンド左チャネルと、独立したサラウンド右チャネルと、独立したサラウンド背面チャネルとを含むことを特徴とする、請求項１記載の方法。
【請求項４】
前記ゲーム機端末の中央処理装置により前記音響を制御するステップを更に含むことを特徴とする、請求項１記載の方法。
【請求項５】
ネットワークを介して前記ゲーム機端末に接続されたホスト・コンピュータにより前記音響を制御するステップを更に含むことを特徴とする、請求項１記載の方法。
【請求項６】
電子ゲーム機システムにおいて、
賭ゲームを実行するためのゲーム機端末と、
プレイヤーが前記賭ゲームを実行するために座る椅子と、
前記賭ゲームに関連した音響を、前記ゲーム機端末の正面にいるプレイヤーに対して、サラウンド・サウンド形式で発することにより、プレイヤーが作用とプレイヤーのまわりで発生している前記賭ゲームに関連した音響とを知覚する、スピーカ・システムであって、このスピーカ・システムがプレイヤーのリスニングポジションの背後に配置されるとともに、前記椅子に取り付けられた少なくとも１つのスピーカを有している、スピーカ・システムとを備えていることを特徴とする、電子ゲーム機システム。
【請求項７】
前記スピーカ・システムが、前記ゲーム機端末から離隔し概ね前記プレイヤーの両側の側方に位置する左スピーカ及び右スピーカを含むことを特徴とする、請求項６記載の電子ゲーム機システム。
【請求項８】
前記音響が１つ又は複数の前記サラウンド・チャネルを有し、前記サラウンド・チャネルが、独立したサラウンド左チャネルと、独立したサラウンド右チャネルと、独立したサラウンド背面チャネルとを含むことを特徴とする、請求項６記載の電子ゲーム機システム。
【請求項９】
前記スピーカ・システムが、概ね前記プレイヤーの背後に位置する別のゲーム機端末に取付けられたスピーカを含むことを特徴とする、請求項６記載の電子ゲーム機システム。
【請求項１０】
前記スピーカ・システムが、前記ゲーム機端末のキャビネットに取付けられ該キャビネットから突出して前記プレイヤーの背後または側方に位置するスピーカを含むことを特徴とする、請求項６記載の電子ゲーム機システム。
【請求項１１】
前記音響を制御する中央処理装置を更に備え、該中央処理装置はネットワークを介して前記ゲーム機端末に接続されたホスト・コンピュータに内蔵されていることを特徴とする、請求項６記載の電子ゲーム機システム。
【請求項１２】
前記音響が複数の独立したサウンド・チャネルを含んでおり、
エンコードされた単一のデータ・ストリームをデコードして、前記複数のサウンド・チャネルを介して送信される複数のデータ・ストリームにするデコーダを更に備えたことを特徴とする、請求項６記載の電子ゲーム機システム。
【請求項１３】
賭ゲームを実行するための電子ゲーム機システムにおいて、
賭ゲームに関連したオーディオ・データを、サラウンド・サウンド・フォーマットで記憶させておく媒体記憶装置と、
前記賭ゲームのプレイヤーの前でサラウンド・サウンドで発するサラウンド・サウンド・スピーカであって、このサラウンド・サウンド・スピーカが、前記電子ゲーム機システムのキャビネットのハウジングの内部に取り付けられて、前記サラウンド・サウンドを発することによって、プレイヤーが作用とプレイヤーのまわりで発生している前記賭ゲームに関連した音響とを知覚するように座っている椅子に取り付けられた反射面によって、前記サラウンド・サウンドが反射される、サラウンド・サウンド・スピーカと、
前記オーディオ・データをデコードする処理装置であって、前記サラウンド・サウンド・スピーカに連結された処理装置とを備えたことを特徴とする、電子ゲーム機システム。
【請求項１４】
前記記憶させてあるオーディオ・データには、複数のサウンド・チャネルのオーディオ情報がエンコードされており、前記処理装置が、前記オーディオ・データをデコードして前記複数のサウンド・チャネルにすることを特徴とする、請求項１３記載の電子ゲーム機システム。
【請求項１５】
前記記憶させてあるオーディオ・データが、少なくとも１つの非サラウンド・チャネルのオーディオ情報の上にエンコードした、少なくとも１つのサラウンド・チャネルのオーディオ情報を含んでおり、前記処理装置が、マトリクス・デコード方式で、前記非サラウンド・チャネルのオーディオ情報から前記サラウンド・チャネルのオーディオ情報を取出すように構成されていることを特徴とする、請求項１３記載の電子ゲーム機システム。
【請求項１６】
ゲーム機システムの作動方法において、
賭ゲームに関連したオーディオ・データを、サラウンド・サウンド・フォーマットで記憶装置に記憶させておくステップと、
前記オーディオ・データをデコードする、デコード・ステップと、
複数のスピーカを使用してサラウンド・サウンドの音響を出力することにより、プレイヤーが作用とプレイヤーのまわりで発生している前記賭ゲームに関連した音響とを知覚する、出力ステップであって、前記複数のスピーカの少なくとも１つは、前記賭ゲームのプレイヤーが前記賭ゲームを実行するために座る椅子の内部に配置され、前記椅子が前記ゲーム機システムのゲーム機端末の前に配置されている、出力ステップとを備えていることを特徴とする、方法。
【請求項１７】
少なくとも１つの非サラウンド・チャネルのオーディオ情報の上に、少なくとも１つのサラウンド・チャネルのオーディオ情報をエンコードするステップを更に含み、前記デコード・ステップにおいて、マトリクス・デコード方式で、前記非サラウンド・チャネルのオーディオ情報から前記サラウンド・チャネルのオーディオ情報を取出すことを特徴とする、請求項１６記載の方法。
【請求項１８】
前記デコード・ステップが、前記オーディオ・データを少なくとも１つのサラウンド・サウンド・チャネルにデコードし、前記複数のスピーカの少なくとも１つが、前記少なくとも１つのサラウンド・サウンド・チャネルに接続され、前記複数のスピーカの少なくとも１つが、プレイヤーの概ね背後または側方に配置されていることを特徴とする、請求項１６記載の方法。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
通信ネットワークと移動局との間の接続の間において伝送されるメッセージの完全性をチェックし、メッセージについて認証値が計算される方法において、
認証が必要とされる全てのメッセージについて、前記通信ネットワークと前記移動局との間の両方向の伝送に関し、該メッセージの認証値が、
前記メッセージと、
前記通信ネットワークにより指定され、かつ、１つの接続のみに対して有効である擬似乱数値と、
前記移動局により少なくとも部分的に指定されるカウント値と、
を基礎にして計算される工程（５０）を具備することを特徴とする方法。
【請求項２】
メッセージの前記認証値は、前記通信ネットワークにより少なくとも一部が指定される第２値をも基礎にして計算される（５４）請求項１に記載の方法。
【請求項３】
前記移動局（２０）は、前記カウンタ値について初期値を指定する請求項２に記載の方法。
【請求項４】
前記移動局（２０）は、第３値を生成するためのカウンタ値と結合される初期値を指定する請求項２に記載の方法。
【請求項５】
前記移動局（２０）は、前記初期値を指定する際に、前記移動局のＳＩＭカードに以前記憶した値を用いる請求項３に記載の方法。
【請求項６】
前記通信ネットワークはＵＭＴＳネットワークであり、前記擬似乱数値は無線ネットワーク制御装置（３０）により指定される請求項１に記載の方法。
【請求項７】
通信ネットワークと移動局との間でメッセージを送受信するネットワーク構成要素であって、該ネットワーク構成要素は、前記通信ネットワークと前記移動局との間の接続の間において伝送されるメッセージの完全性をチェックするものであり、認証が必要とされる全てのメッセージの認証値が前記通信ネットワークと前記移動局との間の両方向の伝送に関して計算されるようにメッセージの認証値を計算する手段を備えており、前記メッセージの認証値が、
前記メッセージと、
前記通信ネットワークにより指定され、かつ、１つの接続のみに対して有効である擬似乱数値と、
前記移動局により少なくとも部分的に指定されるカウント値と、
を基礎にして計算されることを特徴とするネットワーク構成要素。
【請求項８】
メッセージの前記認証値は、前記通信ネットワークにより少なくとも一部が指定される第２値をも基礎にして計算される（５４）請求項７に記載のネットワーク構成要素。
【請求項９】
前記移動局（２０）は、前記カウンタ値について初期値を指定する請求項８に記載のネットワーク構成要素。
【請求項１０】
前記移動局（２０）は、第３値を生成するためのカウンタ値と結合される初期値を指定する請求項８に記載のネットワーク構成要素。
【請求項１１】
前記移動局（２０）は、前記初期値を指定する際に、前記移動局のＳＩＭカードに以前記憶した値を用いる請求項９に記載のネットワーク構成要素。
【請求項１２】
前記通信ネットワークはＵＭＴＳネットワークであり、前記擬似乱数値は無線ネットワーク制御装置（３０）により指定される請求項７に記載のネットワーク構成要素。
【請求項１３】
請求項７乃至１２のいずれかのネットワーク構成要素を備えた電気通信システム。
【誤訳訂正書】
【提出日】平成19年4月27日(2007.4.27)
【誤訳訂正１】
【訂正対象書類名】特許請求の範囲
【訂正対象項目名】請求項４
【訂正方法】変更
【訂正の内容】
【請求項４】
前記１次冷却ライン（６２）における低温液体の入口温度は前記超伝導装置（１２）の動作温度より低く、前記１次冷却ラインにおける低温液体の出口温度は前記超伝導装置の動作温度とほぼ同じである請求項２記載の超伝導機械（１００）。
【誤訳訂正２】
【訂正対象書類名】明細書
【訂正対象項目名】００１６
【訂正方法】変更
【訂正の内容】
【００１６】
１次冷却ライン６２における低温液体の入口温度は超伝導装置１２の動作温度より低い。特に、１次冷却ラインにおける低温液体の出口温度Ｔ２は超伝導装置１２の動作温度とほぼ同じである。ここで使用される用語である入口温度及び出口温度は、それぞれ、超伝導装置１２の付近で、超伝導装置１２に供給される低温液体と、超伝導装置１２から出る低温液体の温度に対応している。更に特定された実施例の場合、１次冷却ライン６２の入口温度は１次冷却ライン６２の出口温度より少なくとも約１０度ケルビン（１０°Ｋ）、更に特定すれば、２０度ケルビン（２０°Ｋ）低い。
【手続補正書】
【提出日】平成19年5月9日(2007.5.9)
【手続補正１】
【補正対象書類名】明細書
【補正対象項目名】００４０
【補正方法】変更
【補正の内容】
【００４０】
補助電源端子ＶＤＤの電位が低いとき、誤動作防止信号の反転信号ｕｖｌｏ＿ｂがＬとなるから、ＮチャネルＭＯＳＦＥＴＮ２はオフし、ＰチャネルＭＯＳＦＥＴＰ１のゲート電位がＨとなり、ＰチャネルＭＯＳＦＥＴＰ１がオフして、抵抗Ｒ３，Ｒ４には電流が流れない。ここでＰチャネルＭＯＳＦＥＴＰ１の基板とゲート間の電圧は、ツェナーダイオードＺＤ１の降伏電圧以上にはならないため、ゲート耐圧以上の電圧が印加されることがない。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
ホストと、
前記ホストに接続されたトランシーバと、を有し、
前記トランシーバは、前記ホストから第１要求を受信し、前記第１要求の受信に応答し試験モード動作に入ることを特徴とするトランシーバシステム。
【請求項２】
前記トランシーバが、前記試験モード動作に入る前に、顧客モード動作で動作することを特徴とする請求項１に記載のトランシーバシステム。
【請求項３】
前記トランシーバは、前記ホストから第２要求を受信するべく構成されると共に、前記トランシーバは、前記第２要求の受信に応答し、較正段階を実行するべく構成されていることを特徴とする請求項１に記載のトランシーバシステム。
【請求項４】
前記較正段階が、前記ホストから受信した情報を前記トランシーバ内に保存する段階を有することを特徴とする請求項３に記載のトランシーバシステム。
【請求項５】
コントローラと、
前記コントローラに接続され、第１情報を含む第１メモリと、を有し、
前記コントローラは、前記第１情報にアクセスするべく構成されると共に、前記コントローラは、較正段階が完了していないことを示す前記第１情報に応答し、試験モード動作に入るべく構成されていることを特徴とするトランシーバ。
【請求項６】
前記コントローラは、電源投入に応答し、前記第１情報にアクセスするべく構成されていることを特徴とする請求項５に記載のトランシーバ。
【請求項７】
前記コントローラは、前記較正段階が完了していることを示す前記第１情報に応答し、顧客モード動作に入るべく構成されていることを特徴とする請求項５に記載のトランシーバ。
【請求項８】
前記コントローラは、前記較正段階に関連する要求をホストから受信するべく構成されると共に、前記コントローラは、前記要求の受信に応答し、前記第１較正段階を実行するべく構成されていることを特徴とする請求項５に記載のトランシーバ。
【請求項９】
前記コントローラは、前記第１較正段階の実行に応答し、顧客モード動作に入るべく構成されていることを特徴とする請求項８に記載のトランシーバ。
【請求項１０】
前記コントローラは、前記較正段階に関連するエラーの検出に応答し、標識を前記ホストに供給するべく構成されていることを特徴とする請求項８に記載のトランシーバ。
【請求項１１】
前記コントローラは、前記較正段階が成功裏に完了したことを検出した際に、標識を前記ホストに供給するべく構成されていることを特徴とする請求項８に記載のトランシーバ。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
送信機と、
前記送信機に接続されたコントローラと、
前記コントローラがアクセス可能なメモリと、
を備え、
前記コントローラは前記送信機から第１の故障解析情報を受信すると共にこの第１の故障解析情報を前記メモリ内に保存するように構成されていることを特徴とするトランシーバ。
【請求項２】
受信機を更に有し、前記コントローラが前記受信機から第２の故障解析情報を受信すると共に、この第２故障解析情報を前記メモリ内に保存するように構成されていることを特徴とする請求項１に記載のトランシーバ。
【請求項３】
前記送信機が、外部ホストから前記第１の故障解析情報を受信するように構成されていることを特徴とする請求項１に記載のトランシーバ。
【請求項４】
前記送信機が、前記コントローラから受信したコマンドに応答し、前記第１の故障解析情報を前記コントローラに供給するように構成されていることを特徴とする請求項１に記載のトランシーバ。
【請求項５】
前記送信機が、前記コマンドに応答し、前記第１の故障解析情報を生成するように構成されていることを特徴とする請求項４に記載のトランシーバ。
【請求項６】
前記送信機が、前記コマンドに応答し、レジスタに存在する前記第１の故障解析情報にアクセスするように構成されていることを特徴とする請求項４に記載のトランシーバ。
【請求項７】
前記第１の故障解析情報が、光出力情報を含むことを特徴とする請求項１に記載のトランシーバ。
【請求項８】
前記第１の故障解析情報が、製造情報を含むことを特徴とする請求項１に記載のトランシーバ。
【請求項９】
コントローラと、
前記コントローラがアクセス可能なメモリと、
を備え、
前記コントローラが外部ホストから故障解析情報を受信すると共に前記故障解析情報を前記メモリ内に保存することを特徴とするトランシーバ。
【請求項１０】
前記故障解析情報が、前記トランシーバの試験によって生成された試験情報を含むことを特徴とする請求項９に記載のトランシーバ。
【請求項１１】
前記コントローラが、前記外部ホストからの要求を受信するのに応じて、前記故障解析情報を前記外部ホストに供給することを特徴とする請求項９に記載のトランシーバ。
【請求項１２】
光出力信号を生成するように構成されたレーザを更に備えることを特徴とする請求項９に記載のトランシーバ。
【請求項１３】
前記外部ホストから前記故障解析情報を受信するように構成された２線シリアルバスインターフェイスを更に備えることを特徴とする請求項９に記載のトランシーバ。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
コントローラと、第１の情報を含む第１のメモリと、ホストによるアクセスが可能な第２のメモリとを具備し、前記コントローラが前記第１の情報を前記第１のメモリから前記第２のメモリへコピーするように構成されていることを特徴とするトランシーバ。
【請求項２】
前記第１のメモリがＥＥＰＲＯＭを含むものであることを特徴とする請求項１に記載のトランシーバ。
【請求項３】
前記第２のメモリがキャッシュを含むものであることを特徴とする請求項１に記載のトランシーバ。
【請求項４】
前記第２のメモリに結合するインターフェイスを更に具備し、前記インターフェイスが、第２の情報が前記ホストから前記第１のメモリ中に記憶されるように構成されたトランザクションを受信するように構成されており、かつ、前記インターフェイスが、前記第２の情報が前記第２のメモリ中に記憶されるように構成されていることを特徴とする請求項１に記載のトランシーバ。
【請求項５】
前記インターフェイスが前記トランザクションに呼応して前記コントローラへ信号を供給するように構成されており、前記コントローラが前記第１のメモリ中に前記第２の情報を記憶させるように構成されていることを特徴とする請求項４に記載のトランシーバ。
【請求項６】
前記第２のメモリに結合するインターフェイスを更に具備し、このインターフェイスが、前記第１のメモリから第２の情報がホストへ読み出されるように構成されたトランザクションを受信するように構成されており、かつ、前記インターフェイスが、前記第２のメモリから前記第２の情報を前記ホストへ提供するように構成されていることを特徴とする請求項１に記載のトランシーバ。
【請求項７】
前記コントローラが、前記トランシーバの一部品から前記第１のメモリへ第２の情報が記憶されるように構成されたトランザクションを受信するように構成されており、前記コントローラが、前記第２の情報が前記第２のメモリ中に記憶されるように構成されていることを特徴とする請求項１に記載のトランシーバ。
【請求項８】
前記コントローラが、前記第２の情報が前記第１のメモリ中に記憶されるように構成されていることを特徴とする請求項７に記載のトランシーバ。
【請求項９】
トランシーバ内の第１のメモリに第１の情報が記憶されるように構成された第１のトランザクションを受信するステップと、
前記トランザクションの受信に応答して、前記第１の情報を前記トランシーバ内の第２のメモリ中に記憶するステップと、
前記第１の情報を前記トランシーバ中の第１のメモリ中に記憶するステップと、
を有することを特徴とする方法。
【請求項１０】
前記第１のトランザクションをホストから受信するステップを更に有することを特徴とする請求項９に記載の方法。
【請求項１１】
前記第１のメモリから前記ホストへ第２の情報の読み出しが生じるように構成された第２のトランザクションを受信するステップと、前記第２の情報を前記第２のメモリから前記ホストへ提供するステップとを更に有することを特徴とする請求項１０に記載の方法。
【請求項１２】
前記第１のトランザクションを前記トランシーバの一部品から受信するステップを更に有することを特徴とする請求項９に記載の方法。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
第１のクロック信号を受信し、前記第１のクロック信号の正エッジに応答して、符号化信号の第１の組を発生するように構成された第１の回路と、
前記第１のクロック信号を受信し、前記第１のクロック信号の負エッジに応答して、符号化信号の第２の組を発生するように構成された第２の回路と、
前記符号化信号の第１の組及び前記符号化信号の第２の組を受信し、前記符号化信号の第１の組及び前記符号化信号の第２の組に応答して、第１のパルス信号及び第２のパルス信号を発生するように構成されている第３の回路と、
前記第１のパルス信号及び前記第２のパルス信号を受信し、前記第１のパルス信号及び前記第２のパルス信号に応答して、第２のクロック信号を発生するように構成されている第４の回路と、
を具備することを特徴とするクロック信号発生システム。
【請求項２】
前記第１の回路に第１の環状シフト・レジスタが含まれることと、前記第２の回路に第２の環状シフト・レジスタが含まれることを特徴とする請求項１に記載のシステム。
【請求項３】
前記第１の回路に第１のエンコーダが含まれることと、前記第２の回路に第２のエンコーダが含まれることを特徴とする請求項１に記載のシステム。
【請求項４】
前記第４の回路に、クロックト・Ｄフリップ・フロップが含まれることを特徴とする請求項１に記載のシステム。
【請求項５】
前記第１のパルス信号が、前記クロックト・Ｄフリップ・フロップのクリア入力に加えられることと、前記第２のパルス信号が、前記クロックト・Ｄフリップ・フロップのクロック入力に加えられることと、前記クロックト・Ｄフリップ・フロップのＤ入力が高に結合されることと、前記第２のクロック信号が、前記クロックト・Ｄフリップ・フロップのＱ出力から送り出されることを特徴とする請求項４に記載のシステム。
【請求項６】
前記符号化信号の第１の組と前記符号化信号の第２の組に、それぞれ、ｎの符号化信号が含まれることと、前記第２のクロック信号の周波数が、前記第１のクロック信号の周波数の１／ｎであることと、ｎが１以上の整数であることを特徴とする請求項１に記載のシステム。
【請求項７】
ｎが１を超える奇整数であることを特徴とする請求項６に記載のシステム。
【請求項８】
前記第１の回路と前記第２の回路が、それぞれ、整数ｎを表わすクロック分周信号を受信するように構成されていることを特徴とする請求項６に記載のシステム。
【請求項９】
第１のクロック信号を用いて、符号化信号の複数組を発生するステップと、
前記符号化信号の複数組を用いて、複数のパルス信号を発生するステップと、
前記複数のパルス信号を用いて、第２のクロック信号を発生するステップと、
を有することを特徴とするクロック信号発生方法。
【請求項１０】
前記クロック信号を用いて、前記符号化信号の複数組を発生するステップに、さらに、前記クロック信号の正エッジを用いて、前記符号化信号の複数組のうち符号化信号の第１の組を発生するステップと、前記クロック信号の負エッジを用いて、前記符号化信号の複数組のうち符号化信号の第２の組を発生するステップとを有することを特徴とする請求項９に記載の方法。
【請求項１１】
前記符号化信号の複数組が、各組毎に、奇数の信号を備えることを特徴とする請求項９に記載の方法。
【請求項１２】
さらに、クロック分周信号を受信するステップと、前記クロック分周信号に関連した周波数で前記第２のクロック信号を発生するステップと、を有することを特徴とする請求項９に記載の方法。
【手続補正書】
【提出日】平成18年12月18日(2006.12.18)
【手続補正１】
【補正対象書類名】明細書
【補正対象項目名】発明の名称
【補正方法】変更
【補正の内容】
【発明の名称】液晶表示装置および電子機器
【手続補正２】
【補正対象書類名】特許請求の範囲
【補正対象項目名】全文
【補正方法】変更
【補正の内容】
【特許請求の範囲】
【請求項１】
駆動回路と、液晶素子とを有し、
前記駆動回路は、第１のトランジスタと、第２のトランジスタと、整流性素子と、第１の入力端子と、第２の入力端子とを有し、
前記第１のトランジスタと前記第２のトランジスタとは、それぞれ、ゲート、第１の端子、および第２の端子を有し、
前記第１のトランジスタの第１の端子は、前記第２のトランジスタの第２の端子に電気的に接続され、
前記第１の入力端子は、前記第２のトランジスタのゲートに電気的に接続され、
前記第２の入力端子は、前記整流性素子を介して、前記第１のトランジスタのゲートに電気的に接続されていることを特徴とする液晶表示装置。
【請求項２】
駆動回路と、液晶素子とを有し、
前記駆動回路は、第１のトランジスタと、第２のトランジスタと、第３のトランジスタと、整流性素子と、第１の入力端子と、第２の入力端子とを有し、
前記第１のトランジスタと前記第２のトランジスタと前記第３のトランジスタとは、それぞれ、ゲート、第１の端子、および第２の端子を有し、
前記第１のトランジスタの第１の端子は、前記第２のトランジスタの第２の端子に電気的に接続され、
前記第３のトランジスタの第２の端子は、前記第１のトランジスタのゲート
に電気的に接続され、
前記第１の入力端子は、前記第３のトランジスタのゲートに電気的に接続され、
前記第１の入力端子は、前記第２のトランジスタのゲートに電気的に接続され、
前記第２の入力端子は、前記整流性素子を介して、前記第１のトランジスタのゲートに電気的に接続されていることを特徴とする液晶表示装置。
【請求項３】
請求項１または請求項２において、
前記整流性素子が、ダイオード接続されたトランジスタであることを特徴とする液晶表示装置。
【請求項４】
請求項３において、
前記ダイオード接続されたトランジスタと、前記第１のトランジスタとが、同じ導電型を有することを特徴とする液晶表示装置。
【請求項５】
駆動回路と、液晶素子とを有し、
前記駆動回路は、第１のトランジスタと、第２のトランジスタと、第４のトランジスタと、第１の入力端子と、第２の入力端子とを有し、
前記第１のトランジスタと前記第２のトランジスタと前記第４のトランジスタとは、それぞれ、ゲート、第１の端子、および第２の端子を有し、
前記第１のトランジスタの第１の端子は、前記第２のトランジスタの第２の端子に電気的に接続され、
前記第１の入力端子は、前記第２のトランジスタのゲートに電気的に接続され、
前記第２の入力端子は、前記第４のトランジスタの第１の端子に電気的に接続され、
前記第４のトランジスタの第２の端子は、前記第１のトランジスタのゲートと電気的に接続され、
前記第４のトランジスタのゲートは、前記第４のトランジスタの第１の端子と電気的に接続されていることを特徴とする液晶表示装置。
【請求項６】
駆動回路と、液晶素子とを有し、
前記駆動回路は、第１のトランジスタと、第２のトランジスタと、第３のトランジスタと、第４のトランジスタと、第１の入力端子と、第２の入力端子とを有し、
前記第１のトランジスタと前記第２のトランジスタと前記第３のトランジスタと、前記第４のトランジスタとは、それぞれ、ゲート、第１の端子、および第２の端子を有し、
前記第１のトランジスタの第１の端子は、前記第２のトランジスタの第２の端子に電気的に接続され、
前記第３のトランジスタの第２の端子は、前記第１のトランジスタのゲート
に電気的に接続され、
前記第１の入力端子は、前記第３のトランジスタのゲートに電気的に接続され、
前記第１の入力端子は、前記第２のトランジスタのゲートに電気的に接続され、
前記第２の入力端子は、前記第４のトランジスタの第１の端子に電気的に接続され、
前記第４のトランジスタの第２の端子は、前記第１のトランジスタのゲートと電気的に接続され、
前記第４のトランジスタのゲートは、前記第４のトランジスタの第１の端子と電気的に接続されていることを特徴とする液晶表示装置。
【請求項７】
請求項５または請求項６において、
前記第４のトランジスタと、前記第１のトランジスタとが、同じ導電型を有することを特徴とする液晶表示装置。
【請求項８】
請求項１乃至請求項７のいずれか一項に記載の液晶表示装置を具備することを特徴とする電子機器。
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
関連する文書読取装置から画像データを受信するのに適した手段と、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するために適した手段と、各エージェントへのデータ転送選択信号に従って関連する文書読取装置から各関連エージェントに、データ転送システムを介して画像データが文書読取装置から個々のエージェントに連続して転送されるように、画像を転送するのに適した手段とからなる文書読取装置から複数の関連エージェントに画像データを転送するためのシステム。
【請求項２】
各エージェントに画像データを転送するための順番が文書読取装置により決定される請求項１に記載のシステム。
【請求項３】
各エージェントに画像データを転送するための順番がそれぞれ前のエージェントにより決定される請求項１に記載のシステム。
【請求項４】
文書読取装置から文書読取装置コントローラに画像データを転送することに適した手段、および個々のエージェントに対するデータ転送信号に従って文書読取装置コントローラから個々の関連エージェントに画像データを転送することに適した手段をさらに含む請求項１に記載のシステム。
【請求項５】
文書読取装置コントローラが少なくとも１つの選択されたデータ記憶領域を含んでおり、画像データが文書読取装置から少なくとも１つの選択されたデータ記憶領域に転送され、また画像データが少なくとも１つの選択されたデータ記憶領域から各エージェントに対するデータ転送信号に従って各エージェントに転送される請求項４に記載のシステム。
【請求項６】
少なくとも１つのデータ記憶領域を少なくとも１人のユーザと関連づけるのに適した手段をさらに含む請求項５に記載のシステム。
【請求項７】
少なくとも１つのデータ記憶領域について選択された情報に対して関連するユーザをプロンプトするのに適した手段と、ユーザをプロンプトした後ユーザに選択されたデータ記憶領域を指定し、関連するユーザ選択データにしたがって受信することに適した手段とをさらに含む請求項６に記載のシステム。
【請求項８】
選択された情報がデータ記憶領域位置、データ記憶領域名、アクセス権、データ記憶領域に関連したユーザ名、およびユーザ名パスワードの少なくとも１つを含んでいる請求項４に記載のシステム。
【請求項９】
各関連エージェントに画像データを転送する前に文書読取装置コントローラが画像データを選択されたフォーマットに変換するのに適した手段を含む請求項２に記載のシステム。
【請求項１０】
関連する文書読取装置から画像データを受信するステップと、個々の関連したエージェントに対して、個々のデータ転送信号は選択されたデータ転送フォーマットのデータ形式を含んでいてこの選択されたデータ転送フォーマットは個々のエージェントに対して同一となっている、関連データ転送信号を選択するステップと、各エージェントへのデータ転送選択信号に従って関連する文書読取装置から各関連エージェントに、データ転送システムを介して画像データが文書読取装置から個々のエージェントに連続して転送されるように、画像を転送するステップとからなる文書読取装置から複数の関連エージェントに画像データを転送する方法。
【請求項１１】
各エージェントに画像データを転送するための順番が文書読取装置により決定される請求項１０に記載の方法。
【請求項１２】
各エージェントに画像データを転送するための順番がそれぞれの前のエージェントにより決定される請求項１０に記載の方法。
【請求項１３】
文書読取装置コントローラに文書読取装置から画像データを転送するステップと、文書読取装置コントローラから個々の関連エージェントに画像データを転送するステップをさらに含む請求項１０に記載の方法。
【請求項１４】
文書読取装置コントローラが少なくとも１つの選択されたデータ記憶領域を含んでおり、画像データが文書読取装置から少なくとも１つの選択されたデータ記憶領域に転送され、また、画像データが少なくとも１つの選択されたデータ記憶領域から各エージェントに対するデータ転送信号に従って各エージェントに転送される請求項１３に記載の方法。
【請求項１５】
少なくとも１つのデータ記憶領域を少なくとも１人のユーザと関連づけるステップをさらに含む請求項１０に記載の方法。
【請求項１６】
少なくとも１つのデータ記憶領域について選択された情報に対して関連するユーザをプロンプトするステップと、ユーザをプロンプトした後ユーザに選択されたデータ記憶領域を指定し関連するユーザ選択データにしたがって受信するステップとを更に含む請求項１５に記載の方法。
【請求項１７】
選択された情報がデータ記憶領域位置、データ記憶領域名、アクセス権、データ記憶領域に関連したユーザ名、およびユーザ名パスワードの少なくとも１つを含んでいる請求項１６に記載の方法。
【請求項１８】
各関連するエージェントに画像データを転送する前に文書読取装置コントローラにより画像データを選択されたフォーマットに変換するステップをさらに含む請求項１３に記載の方法。
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】  無線基地局に接続される複数の無線端末の間で通信を行う無線システムにおいて、
前記無線基地局と前記無線端末との間の通信頻度を判別する判別部と、
前記判別部による判別結果に応じて前記無線端末の通信優先順位を変更する変更部とを備えたことを特徴とする無線システム。
【請求項２】  前記変更部は前記判別部により第１の閾値より通信頻度が低いと判定された無線端末の通信モードを変更することを特徴とする請求項１記載の無線システム。
【請求項３】  第１の通信優先順位の無線端末が予め定められた数に達すると、前記第１の通信優先順位の無線端末の中の各無線端末の通信頻度に基づいて、第２の通信優先順位に変更する無線端末を決定する決定部を有することを特徴とする請求項１又は２記載の無線システム。
【請求項４】  第２の通信優先順位の無線端末からの通信要求を受けた際の、第１の通信優先順位の無線端末数に応じて、前記変更部は通信優先順位の変更処理を実行することを特徴とする請求項１乃至３のいずれか１項に記載の無線システム。
【請求項５】  前記変更部は前記無線端末の通信モードを変更することにより該無線端末の通信優先順位を変更することを特徴とする請求項１乃至４のいずれか１項に記載の無線システム。
【請求項６】  前記無線システムは複数の無線端末の通信優先順位を管理する管理装置であることを特徴とする請求項１乃至５のいずれか１項に記載の無線システム。
【請求項７】  前記判別部は前記無線基地局にて前記無線端末から送信されたパケットの受信継続時間に基づいて通信頻度を判別することを特徴とする請求項１乃至６のいずれか１項に記載の無線システム。
【請求項８】  無線基地局に接続される複数の無線端末の通信優先順位を変更する変更方法において、
前記無線基地局と前記無線端末との間の通信頻度を判別する判別ステップと、
前記判別ステップにおける判別結果に応じて前記無線端末の通信優先順位を変更する変更ステップとを有することを特徴とする変更方法。
【請求項９】  無線基地局に接続される複数の無線端末の通信優先順位を変更するためのコンピュータ読み取り可能な制御プログラムにおいて、
前記無線基地局と前記無線端末との間の通信頻度を判別する判別ステップと、
前記判別ステップにおける判別結果に応じて前記無線端末の通信優先順位を変更する変更ステップとをコンピュータに実行させるためのプログラムコードから成ることを特徴とする制御プログラム。
【請求項１０】  請求項９記載の制御プログラムを格納したことを特徴とする記憶媒体。
【手続補正２】
【補正対象書類名】明細書
【補正対象項目名】００３５
【補正方法】変更
【補正の内容】
【００３５】
また、パークモードからアクティブモードへの移行は、通信要求（アクティブモードへの移行要求）があり、ＡＭ＿ＡＤＤに空きがある場合はＡＰ１０２が許可するため、ここでは示さない。
【手続補正３】
【補正対象書類名】明細書
【補正対象項目名】００３６
【補正方法】変更
【補正の内容】
【００３６】
また、アクティブモードへ移行する毎に無線端末は、空いているＡＭ＿ＡＤＤが割り当てられるが、ここでは説明を簡略化するため、無線端末１０４がＡＭ１（ＡＭ＿ＡＤＤ＝１）の固定割り当て、無線端末１０５がＡＭ２（ＡＭ＿ＡＤＤ＝２）の固定割り当て、無線端末１０６がＡＭ３（ＡＭ＿ＡＤＤ＝３）の固定割り当てとして説明する。
【手続補正４】
【補正対象書類名】明細書
【補正対象項目名】００６９
【補正方法】変更
【補正の内容】
【００６９】
次に、ステップＳ６０５で通信要求のあったＰＭ無線端末１０６をアクティブモードへ移行した後（ステップＳ６０６）、本処理動作を終了する。
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
相対的に高感度の撮像信号と相対的に低感度の撮像信号とを取得する機能を有するデジタルカメラであって、
前記低感度の撮像信号に基づく低感度撮影画像データを生成する低感度撮影モードを有し、
前記低感度撮影モード時に、前記低感度撮影画像データの低輝度領域のノイズを低減するためのノイズ低減処理を行うノイズ低減処理手段を備え、
前記ノイズ低減処理手段は、前記高感度の撮像信号に基づいて生成されるノイズ低減用信号を利用して前記ノイズ低減処理を行うものであるデジタルカメラ。
【請求項２】
請求項１記載のデジタルカメラであって、
前記ノイズ低減用信号を生成するノイズ低減用信号生成手段を備え、
前記ノイズ低減用信号生成手段は、前記低感度の撮像信号がとり得る被写体輝度の最大値に対する前記低感度の撮像信号の飽和値の比と、前記高感度の撮像信号がとり得る被写体輝度の最大値に対する前記高感度の撮像信号の飽和値の比とを略同一にするためのゲインを前記高感度の撮像信号に乗じ、前記ゲインを乗じた高感度の撮像信号を前記ノイズ低減用信号とするものであるデジタルカメラ。
【請求項３】
請求項２記載のデジタルカメラであって、
前記ノイズ低減処理手段は、前記ゲインを乗じた高感度の撮像信号の低輝度領域の撮像信号と、前記低感度の撮像信号の低輝度領域の撮像信号とを加算平均することで、前記ノイズ低減処理を行うデジタルカメラ。
【請求項４】
請求項２又は３記載のデジタルカメラであって、
前記低感度の撮像信号がとり得る被写体輝度の最大値は、前記ゲインを乗じた高感度の撮像信号がとり得る被写体輝度の最大値よりも大きいものであるデジタルカメラ。
【請求項５】
請求項１〜４のいずれか記載のデジタルカメラであって、
相対的に高感度の光電変換信号を出力する第１の光電変換素子と相対的に低感度の光電変換信号を出力する第２の光電変換素子とを含む固体撮像素子を備え、
前記高感度の撮像信号は前記第１の光電変換素子から取得されたものであり、前記低感度の撮像信号は前記第２の光電変換素子から取得されたものであるデジタルカメラ。
【手続補正２】
【補正対象書類名】明細書
【補正対象項目名】０００４
【補正方法】変更
【補正の内容】
【０００４】
【特許文献１】特開平４−２９８１７５号公報
【特許文献２】特開２０００−６９３５５号公報
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
絶縁膜と、
前記絶縁膜に接し、なおかつ前記絶縁膜上に設けられた第１電極と、
前記第１電極上に設けられた電界発光層と、
前記第１電極と重なるように、なおかつ前記電界発光層上に設けられた第２電極とを有し、
前記絶縁膜は窒素及び珪素を含んでおり、
前記第１の電極は、透光性酸化物導電材料及び酸化珪素を含んでいることを特徴とする発光装置。
【請求項２】
絶縁表面上に設けられた第１電極と、
前記第１電極上に設けられた電界発光層と、
前記第１電極と重なるように、なおかつ前記電界発光層上に設けられた第２電極と、
前記第２電極と接するように設けられた絶縁膜とを有し、
前記絶縁膜は窒素及び珪素を含んでおり、
前記第２の電極は、透光性酸化物導電材料及び酸化珪素を含んでいることを特徴とする発光装置。
【請求項３】
絶縁膜と、
前記絶縁膜に接し、なおかつ前記絶縁膜上に設けられた複数の第１電極と、
前記複数の第１電極上に設けられた電界発光層と、
前記複数の第１電極と交差し、なおかつ前記電界発光層上に設けられた複数の第２電極とを有し、
前記絶縁膜は窒素及び珪素を含んでおり、
前記第１の電極は、透光性酸化物導電材料及び酸化珪素を含んでいることを特徴とする発光装置。
【請求項４】
絶縁表面上に設けられた複数の第１電極と、
前記複数の第１電極上に設けられた電界発光層と、
前記複数の第１電極と交差し、なおかつ前記電界発光層上に設けられた複数の第２電極と、
前記複数の第２電極と接するように設けられた絶縁膜とを有し、
前記絶縁膜は窒素及び珪素を含んでおり、
前記第２の電極は、透光性酸化物導電材料及び酸化珪素を含んでいることを特徴とする発光装置。
【請求項５】
請求項１乃至請求項４のいずれか一項において、前記絶縁膜はさらに酸素を含み、当該酸素を含む絶縁膜における前記窒素の組成比は前記酸素の組成比よりも高いことを特徴とする発光装置。
【請求項６】
第１の絶縁膜と、
前記第１の絶縁膜上に設けられた複数の第１電極と、
前記複数の第１電極上に設けられた電界発光層と、
前記複数の第１電極と交差し、なおかつ前記電界発光層上に並列に設けられた複数の第２電極と、
前記複数の第２電極と接するように設けられた第２の絶縁膜とを有し、
前記第１の絶縁膜及び前記第２の絶縁膜は窒素及び珪素を含んでおり、
前記第２の電極は、透光性酸化物導電材料及び酸化珪素を含んでいることを特徴とする発光装置。
【請求項７】
請求項６において、前記第１の絶縁膜または前記第２の絶縁膜はさらに酸素を含み、当該酸素を含む絶縁膜の前記窒素の組成比は前記酸素の組成比よりも高いことを特徴とする発光装置。
【請求項８】
層間絶縁膜と、
前記層間絶縁膜上に設けられた絶縁膜と、
前記絶縁膜上に接するように設けられた複数の第１電極と、
前記複数の第１電極上に設けられた電界発光層と、
前記複数の第１電極と交差し、なおかつ前記電界発光層上に設けられた複数の第２電極とを有し、
前記絶縁膜は窒素及び珪素を含んでおり、
前記第１の電極は、透光性酸化物導電材料及び酸化珪素を含んでいることを特徴とする発光装置。
【請求項９】
請求項８において、前記絶縁膜はさらに酸素を含み、当該酸素を含む絶縁膜における前記窒素の組成比は前記酸素の組成比よりも高いことを特徴とする発光装置。
【請求項１０】
層間絶縁膜と、
前記層間絶縁膜上に設けられた第１の絶縁膜と、
前記第１の絶縁膜上に設けられた複数の第１電極と、
前記複数の第１電極上に設けられた電界発光層と、
前記複数の第１電極と交差し、なおかつ前記電界発光層上に設けられた複数の第２電極と、
前記複数の第２電極と接するように設けられた第２の絶縁膜とを有し、
前記第１の絶縁膜及び前記第２の絶縁膜は窒素及び珪素を含んでおり、
前記第２の電極は、透光性酸化物導電材料及び酸化珪素を含んでいることを特徴とする発光装置。
【請求項１１】
請求項１０において、前記第１の絶縁膜または前記第２の絶縁膜はさらに酸素を含み、当該酸素を含む絶縁膜の前記窒素の組成比は前記酸素の組成比よりも高いことを特徴とする発光装置。
【請求項１２】
請求項８乃至請求項１１のいずれか１項において、前記層間絶縁膜は、シロキサン系材料を用いて形成されているか、またはアクリルを用いて形成されていることを特徴とする発光装置。
【請求項１３】
請求項１乃至請求項１２のいずれか１項において、前記窒素及び珪素を含む絶縁膜における前記窒素の組成比は１０ａｔｏｍｉｃ％以上であることを特徴とする発光装置。
【請求項１４】
請求項１乃至請求項１２のいずれか１項において、前記窒素及び珪素を含む絶縁膜における前記窒素の組成比は２５ａｔｏｍｉｃ％以上であることを特徴とする発光装置。
【請求項１５】
請求項１乃至請求項１４のいずれか１項において、前記透光性酸化物導電材料は、ガリウムが添加された酸化亜鉛、酸化インジウムスズ、酸化亜鉛または酸化インジウム亜鉛であることを特徴とする発光装置。
【請求項１６】
請求項１乃至請求項１５のいずれか１項において、前記第１電極は、前記電界発光層に含まれる正孔注入層または正孔輸送層と接していることを特徴とする発光装置。
【請求項１７】
請求項１乃至請求項１５のいずれか１項において、前記第１電極は、前記電界発光層に含まれる電子注入層または電子輸送層と接していることを特徴とする発光装置。
【手続補正書】
【提出日】平成19年9月28日(2007.9.28)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
絶縁膜に接するように形成された陽極と、
前記陽極上に形成された電界発光層と、
前記電界発光層上に形成された陰極とを有し、
前記絶縁膜は、窒素及び珪素を含んでおり、
前記陽極は、前記絶縁膜に接する透光性酸化物導電層と、前記電界発光層に接するバリア層とを有し、
前記透光性酸化物導電層及び前記バリア層は、透光性酸化物導電材料及び酸化珪素を含んでおり、
前記珪素の濃度は、前記透光性酸化物導電層よりも前記バリア層の方が高いことを特徴とする発光装置。
【請求項２】
第１の絶縁膜と、
前記第１の絶縁膜上に形成された第２の絶縁膜と、
前記第２の絶縁膜に接するように形成された陽極と、
前記陽極上に形成された電界発光層と、
前記電界発光層上に形成された陰極とを有し、
前記第１の絶縁膜は、シロキサン系材料を用いて形成されているか、またはアクリルを用いて形成されており、
前記第２の絶縁膜は、窒素及び珪素を含んでおり、
前記陽極は、前記絶縁膜に接する透光性酸化物導電層と、前記電界発光層に接するバリア層とを有し、
前記透光性酸化物導電層及び前記バリア層は、透光性酸化物導電材料及び酸化珪素を含んでおり、
前記珪素の濃度は、前記透光性酸化物導電層よりも前記バリア層の方が高いことを特徴とする発光装置。
【請求項３】
請求項１または請求項２において、前記透光性酸化物導電材料は、ガリウムが添加された酸化亜鉛、酸化インジウムスズ、酸化亜鉛または酸化インジウム亜鉛であることを特徴とする発光装置。
【請求項４】
請求項１乃至請求項３のいずれか一において、前記バリア層は、前記電界発光層に含まれる正孔注入層または正孔輸送層と接していることを特徴とする発光装置。
【請求項５】
請求項１乃至請求項４のいずれか一において、前記発光装置はセミアモルファス半導体を用いたＴＦＴを有していることを特徴とする発光装置。
【請求項６】
請求項１乃至５のいずれか一において、前記発光装置を有することを特徴とする電子機器。
【請求項７】
請求項６において、ビデオカメラ、デジタルカメラ、ゴーグル型ディスプレイ、ナビゲーションシステム、音響再生装置、ノート型パーソナルコンピュータ、ゲーム機器、携帯情報端末、または記録媒体を備えた画像再生装置であることを特徴とする電子機器。
【手続補正書】
【提出日】平成19年8月22日(2007.8.22)
【手続補正１】
【補正対象書類名】明細書
【補正対象項目名】００４３
【補正方法】変更
【補正の内容】
【００４３】
Ｌｎ源化合物としてＹ2Ｏ3；１．４４モル、Ｍ源化合物としてγ−Ａｌ2Ｏ3；２．５モル、Ｃｅ源化合物としてＣｅＯ2；０．０９モル、Ｔｂ源化合物としてＴｂ4Ｏ7：０．０
０７５モル、並びに融剤としてＢａＦ2；０．２５モルを用い、１４００℃で焼成したこ
と以外は実施例１と同様の方法にて、黄色発光蛍光体（Ｙ0.96Ｃｅ0.03Ｔｂ0.01）3Ａｌ5Ｏ12を作製した。得られた蛍光体につき、実施例１と同様に物体色と全光束を測定したところ、物体色はＬ*＝１０２．７、ａ*＝−１４．９、ｂ*＝５８．８、全光束は１１６％
であった。結果を表−１に示す。 
（実施例６） 
【手続補正２】
【補正対象書類名】明細書
【補正対象項目名】００４４
【補正方法】変更
【補正の内容】
【００４４】
Ｌｎ源化合物としてＹ2Ｏ3；１．４４モル、Ｍ源化合物としてγ−Ａｌ2Ｏ3；２．５モル、Ｃｅ源化合物としてＣｅＯ2；０．１２モル、並びに融剤としてＢａＦ2；０．２５モルを用い、１４００℃で焼成したこと以外は実施例１と同様の方法にて、黄色発光蛍光
体（Ｙ0.96Ｃｅ0.04）3Ａｌ5Ｏ12を作製した。実施例１と同様の評価を行ったところ、物体色はＬ*＝１０１．２、ａ*＝−１４．７、ｂ*＝５７．８、全光束は１１０％、温度特
性は９８％であった。また、ｔ１は１５１ｎｓ、ｔ２／ｔ１は２．０３であった。結果を表−１に示す。 
（実施例７）